(57)【特許請求の範囲】
【請求項１】
シートピックアップローラセット及び少なくとも１つの用紙ストッパを備え、前記シートピックアップローラセットと少なくとも１つの用紙ストッパが互いに別体であるシートピックアップモジュールであって、
前記シートピックアップローラセット及び前記用紙ストッパは、カバープレートに枢着され、前記シートピックアップローラセットは、ローラを有し、
前記用紙ストッパは、用紙ストッパ部材と、フック部及び被駆動部が設けられた固定部材とを有し、
前記カバープレートには、前記用紙ストッパの前記固定部材の前記フック部に対応するように孔部が設けられ、
前記シートピックアップローラセット上には、駆動部が配置され、
前記シートピックアップローラセットが、前記駆動部が前記被駆動部を押すようになっている第１の位置に移動すると、前記カバープレートの前記孔部に前記固定部材の前記フック部が挿入されて前記用紙ストッパを固定し、
前記シートピックアップローラセットが、前記駆動部が前記被駆動部から離れるようになっている第２の位置に移動すると、前記カバープレートの前記孔部から前記固定部材の前記フック部が離れ、前記用紙ストッパが自在に回転することによって、前記シートピックアップローラセット及び前記用紙ストッパが個別に制御されて揺動することが可能になることを特徴とするシートピックアップモジュール。
【請求項２】
前記用紙ストッパ部材及び前記固定部材は、２つの独立した部品が互いに枢着されて構成されていることを特徴とする請求項１に記載のシートピックアップモジュール。
【請求項３】
前記用紙ストッパ部材は、前記カバープレートに枢着され、
前記用紙ストッパ部材の揺動方向は、前記固定部材の揺動方向に対して垂直であることを特徴とする請求項２に記載のシートピックアップモジュール。
【請求項４】
前記用紙ストッパ部材は、ピボット座を有し、
前記固定部材は、軸を有し、前記ピボット座に枢着され、前記軸上にバネが配置されていることを特徴とする請求項１に記載のシートピックアップモジュール。
【請求項５】
前記用紙ストッパ部材と前記固定部材とが一体成形され、
前記固定部材が可撓性を有することを特徴とする請求項１に記載のシートピックアップモジュール。
【請求項６】
前記用紙ストッパ部材は、前記カバープレートに枢着され、
前記用紙ストッパ部材の揺動方向は、前記固定部材が曲げられた方向に対して垂直であることを特徴とする請求項５に記載のシートピックアップモジュール。
【請求項７】
前記シートピックアップローラセットの前記駆動部は、当接面を有し、
前記用紙ストッパの前記固定部材の前記被駆動部は、当接面を有することを特徴とする請求項１に記載のシートピックアップモジュール。
【請求項８】
前記シートピックアップローラセットの前記駆動部上に設けられた前記当接面は、斜面又は曲面であることを特徴とする請求項７に記載のシートピックアップモジュール。
【請求項９】
前記用紙ストッパの前記被駆動部上に設けられた前記当接面は、斜面又は曲面であることを特徴とする請求項７に記載のシートピックアップモジュール。
【請求項１０】
前記フック部と前記被駆動部とは、互いに表裏の関係で前記固定部材に設けられていることを特徴とする請求項１に記載のシートピックアップモジュール。
【発明の詳細な説明】
【技術分野】
【０００１】
本発明は、給紙装置に関し、特に、シートピックアップモジュールに関する。
【背景技術】
【０００２】
一般に事務所では、コピー機、プリンタ、ファクシミリなどのＯＡ機器が頻繁に使用されている。これらＯＡ機器は、後続作業を行うために、一枚々々送紙するシートピックアップ機構を有する。
【０００３】
従来のシートピックアップ機構は、ピックアップローラセット及び２つの用紙ストッパを含む。ピックアップローラセットは、ＯＡ機器のカバープレートの内側に枢着され、シートをピックアップする際、下向きに揺動させ、シート上にローラを圧着させ、ローラを回転させることにより、シートを前方へ送り出す。用紙ストッパは、通常の状態下でシートの前方を押さえて固定するために用いる。シートをピックアップするときは、用紙ストッパの固定状態を解除し、シートを前方に送り出すことにより、用紙ストッパを押し開く。
【０００４】
特許文献１の紙ガード機能を具えた取紙機構では、取紙ローラセット上に配置された接触ブロックにより、紙ガード部品が移動することを防ぐことができるが、取紙ローラセットが移動すると、接触ブロックが紙ガード部品の下方に設けられた通路に沿って紙ガード部品から離れ、紙ガード部品がシートにより押し動かされる技術が開示されている。また、特許文献２の紙ガード機構では、紙ガード部品上に切欠きが設けられ、通常の状態下で取紙ローラセット上のバンプが紙ガード部品の背面に当接され、固定されている。そして、紙をピックアップする際、取紙ローラセットが下方に揺動されてから、バンプが紙ガード部品の切欠きに移動するため、紙ガード部品は自在に移動することができる。
【０００５】
しかし、特許文献１及び特許文献２では、取紙ローラセット上の特定の箇所により紙ガード部品を押さえるため、複雑な構造により、この部位を紙ガード部品から離す必要があった。
【先行技術文献】
【特許文献】
【０００６】
【特許文献１】台湾実用新案登録第３２０，４９２号公報
【特許文献２】台湾実用新案登録第３１７，９２８号公報
【発明の概要】
【発明が解決しようとする課題】
【０００７】
本発明の目的は、用紙ストッパを簡単かつ正確に制御することができるシートピックアップモジュールを提供することにある。
【課題を解決するための手段】
【０００８】
上記目的を達成するためになされた請求項１に記載のシートピックアップモジュールは、シートピックアップローラセット及び少なくとも１つの用紙ストッパを備え、前記シートピックアップローラセットと少なくとも１つの用紙ストッパが互いに別体であるシートピックアップモジュールであって、前記シートピックアップローラセット及び前記用紙ストッパは、カバープレートに枢着され、前記シートピックアップローラセットは、ローラを有し、前記用紙ストッパは、用紙ストッパ部材と、フック部及び被駆動部が設けられた固定部材とを有し、前記カバープレートには、前記用紙ストッパの前記固定部材の前記フック部に対応するように孔部が設けられ、前記シートピックアップローラセット上には、駆動部が配置され、前記シートピックアップローラセットが、前記駆動部が前記被駆動部を押すようになっている第１の位置に移動すると、前記カバープレートの前記孔部に前記固定部材の前記フック部が挿入されて前記用紙ストッパを固定し、前記シートピックアップローラセットが、前記駆動部が前記被駆動部から離れるようになっている第２の位置に移動すると、前記カバープレートの前記孔部から前記固定部材の前記フック部が離れ、前記用紙ストッパが自在に回転することによって、前記シートピックアップローラセット及び前記用紙ストッパが個別に制御されて揺動することが可能になることを特徴とする。
【０００９】
前記用紙ストッパ部材及び前記固定部材は、２つの独立した部品が互いに枢着されて構成されていることが好ましい。
【００１０】
前記用紙ストッパ部材は、前記カバープレートに枢着され、前記用紙ストッパ部材の揺動方向は、前記固定部材の揺動方向に対して垂直であることが好ましい。
【００１１】
前記用紙ストッパ部材は、ピボット座を有し、前記固定部材は、軸を有し、前記ピボット座に枢着され、前記軸上にバネが配置されていることが好ましい。
【００１２】
前記用紙ストッパ部材と前記固定部材とが一体成形され、前記固定部材が可撓性を有することが好ましい。
【００１３】
前記用紙ストッパ部材は、前記カバープレートに枢着され、前記用紙ストッパ部材の揺動方向は、前記固定部材が曲げられた方向に対して垂直であることが好ましい。
【００１４】
前記シートピックアップローラセットの前記駆動部は、当接面を有し、前記用紙ストッパの前記固定部材の前記被駆動部は、当接面を有することが好ましい。
【００１５】
前記シートピックアップローラセットの前記駆動部上に設けられた前記当接面は、斜面又は曲面であることが好ましい。
【００１６】
前記用紙ストッパの前記被駆動部上に設けられた前記当接面は、斜面又は曲面であることが好ましい。
【００１７】
前記フック部と前記被駆動部とは、互いに表裏の関係で前記固定部材に設けられていることが好ましい。
【発明の効果】
【００１８】
本発明のシートピックアップモジュールは、用紙ストッパを簡単かつ正確に制御することができる。
【図面の簡単な説明】
【００１９】
【図１】本発明の第１実施形態によるシートピックアップモジュールを示す斜視図である。
【図２】本発明の第１実施形態による用紙ストッパを示す斜視図である。
【図３】本発明の第１実施形態による用紙ストッパが待機状態で固定された状態を示す断面図である。
【図４】本発明の第１実施形態による用紙ストッパが待機状態で固定された状態を示す断面図である。
【図５】本発明の第１実施形態によるシートピックアップローラセットが所定角度回転した後、用紙ストッパがリリースされるときの状態を示す断面図である。
【図６】本発明の第１実施形態によるシートピックアップローラセットが所定角度で回転した後、用紙ストッパがリリースされるときの状態を示す断面図である。
【図７】本発明の第１実施形態による用紙ストッパをシートが押し開いて前方へ移動させるときの状態を示す断面図である。
【図８】本発明の第２実施形態による用紙ストッパを示す斜視図である。
【発明を実施するための形態】
【００２０】
以下、本発明の実施形態について図に基づいて説明する。なお、これによって本発明が限定されるものではない。
【００２１】
本発明の一実施形態によるシートピックアップモジュールは、コピー機、プリンタ、ファクシミリなどに取り付けられ、装置の中に紙を一枚々々送り込むために用いる。以下の実施形態ではコピー機を用いて説明する。
【００２２】
図１を参照する。図１に示すように、本発明の一実施形態によるシートピックアップモジュールは、コピー機のカバープレート１４の内側に設けられたリブ１６（図３〜図７に示す）上にそれぞれ取り付けられたシートピックアップローラセット１０及び２つの用紙ストッパ１２を有し、シートピックアップローラセット１０及び２つの用紙ストッパ１２が個別に制御されて揺動する。
【００２３】
（第１実施形態）
図２を参照する。図２に示すように、本発明の第１実施形態による用紙ストッパ１２は、用紙ストッパ部材１８及び固定部材２０を含む。用紙ストッパ部材１８は、横方向に延伸された軸２２により、カバープレート１４のリブ１６に枢着されている。軸２２の上方には、ピボット座２４が配置されている。ピボット座２４の上端中央には切欠けが設けられ、切欠けの両側の壁面上には軸孔２６がそれぞれ設けられている。固定部材２０の端部には、用紙ストッパ部材１８のピボット座２４上の軸孔２６中に取り付けられた軸２８が配置されている。固定部材２０の軸２８上には、一方の端部が固定部材２０に当接され、他方の端部がピボット座２４に当接されたトーションバネ３０が嵌合されている。固定部材２０の外端にはフック部３２が設けられ、フック部３２と表裏の関係で被駆動部３４が設けられている。被駆動部３４はバンプであり、当接面３６が設けられている。当接面３６は、本実施形態では斜面であるが、曲面など他の態様でもよい。
【００２４】
カバープレート１４のリブ１６上には孔部３８が設けられている。一般の状態下で、用紙ストッパ１２の固定部材２０のフック部３２は、リブ１６上の孔部３８に対応するように駆動されて挿入される。トーションバネ３０は、固定部材２０を押し動かすために用い、正常な状態下では孔部３８からフック部３２が離されている。ここで、用紙ストッパ部材１８と固定部材２０との揺動方向が互いに垂直であるため、リブ１６上の孔部３８に固定部材２０のフック部３２が挿入されると、用紙ストッパ部材１８が固定されて回転不能な状態となる。つまり、用紙ストッパ１２全体が固定されて動かない状態となる。
【００２５】
図１を参照する。図１に示すように、シートピックアップローラセット１０は、ローラ４２が枢着されたベース４０を上に有する。ベース４０は、カバープレート１４の２つのリブ１６間に枢着されている。シートピックアップローラセット１０の両側には、２つの用紙ストッパ１２が配置されている。ベース４０及びローラ４２は、それぞれ制御されて揺動したり回転したりする。ベース４０及びローラ４２を制御する機構は、従来技術であるため、ここでは詳しく述べない。
【００２６】
シートピックアップローラセット１０のベース４０の両側には、駆動部４４がそれぞれ配置されている。第１実施形態の駆動部４４は、ベース４０上に突設されたバンプであり、当接面４６が外端に設けられている。当接面３６は、本実施形態では斜面であるが、曲面など他の態様でもよい。
【００２７】
図３及び図４を参照する。図３及び図４に示すように、コピー機が待機状態にあるとき、シートピックアップローラセット１０が第１の位置にある（即ち、上向きに揺動されて上死点に位置する）。このとき、シートピックアップローラセット１０上の駆動部４４の当接面４６が、２つの用紙ストッパ１２の固定部材２０上の被駆動部３４に設けられた当接面３６に当接され、２つの固定部材２０が駆動されて揺動し、リブ１６の孔部３８中に固定部材２０上のフック部３２を挿入させる。そのため、２つの用紙ストッパ１２は、固定された動かない状態となり、用紙ストッパ部材１８がシート４８の前方に位置し、シート４８を固定させる。
【００２８】
図５及び図６を参照する。図５及び図６に示すように、シートピックアップモジュールが命令を受けると、給紙ステップを開始し、シートピックアップローラセット１０が下方へ揺動され、被駆動部３４から駆動部４４が離れ始める。シートピックアップローラセット１０が所定角度で揺動されて第２の位置に達すると、２つの用紙ストッパ１２の固定部材２０上の被駆動部３４からシートピックアップローラセット１０上の駆動部４４が完全に離れ、トーションバネ３０の作用により、リブ１６の孔部３８から固定部材２０上のフック部３２が離されると、２つの用紙ストッパ１２は、拘束されずに自由に回転することができる。
【００２９】
図７を参照する。図７に示すように、シートピックアップローラセット１０が下向きに揺動し続けてシート４８にローラが接触すると、回転するローラ４２によりシート４８が前方へ送られ、用紙ストッパ部材１８がシート４８により押し開かれる。
【００３０】
給紙ステップが終了すると、シートピックアップローラセット１０が上死点に戻り、駆動部４４により２つの用紙ストッパ１２の固定部材２０上の被駆動部３４が押されると、リブ１６の孔部３８にフック部３２が挿入され、図３及び図４に示すように、用紙ストッパ１２が固定状態に戻る。
【００３１】
（第２実施形態）
図８を参照する。図８に示すように、本発明の第２実施形態による用紙ストッパ５０は、第１実施形態と同様に、用紙ストッパ部材５２及び固定部材５４を含む。また、第２実施形態の用紙ストッパ５０は、２つの独立した構成要素を組み合わせる第１実施形態と異なり、用紙ストッパ部材５２と固定部材５４とが一体成形されている。第２実施形態の固定部材５４は、可撓性を有するため、ピックアップローラセット（図示せず）が固定部材５４の後端の被駆動部５６を押すと、固定部材５４が曲がり、リブの孔部（図示せず）に前端のフック部５８が入る。同様に、固定部材５４が曲がる方向は、用紙ストッパ部材５２の揺動方向に対して垂直である。シートピックアップローラセットが離れた後、固定部材５４自体が有する弾性により、フック部５８が孔部から離れる。そのため、第２実施形態の用紙ストッパ５０はバネが無くても第１実施形態と同様の機能を得ることができる。
【００３２】
駆動部４４上の当接面３６と、被駆動部５６上の当接面３６との形状は、斜面／斜面、斜面／曲面、曲面／斜面又は曲面／曲面の組合せでもよい。
【００３３】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００３４】
１０  シートピックアップローラセット
１２  用紙ストッパ
１４  カバープレート
１６  リブ
１８  用紙ストッパ部材
２０  固定部材
２２  軸
２４  ピボット座
２６  軸孔
２８  軸
３０  トーションバネ
３２  フック部
３４  被駆動部
３６  当接面
３８  孔部
４０  ベース
４２  ローラ
４４  駆動部
４６  当接面
４８  シート
５０  用紙ストッパ
５２  用紙ストッパ部材
５４  固定部材
５６  被駆動部
５８  フック部
【図１】
0005124011.tif 000002
【図２】
0005124011.tif 000003
【図３】
0005124011.tif 000004
【図４】
0005124011.tif 000005
【図５】
0005124011.tif 000006
【図６】
0005124011.tif 000007
【図７】
0005124011.tif 000008
【図８】
0005124011.tif 000009